(57)【特許請求の範囲】
【請求項１】
衣服と共に使用するためのファスナーアセンブリであって、第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、
ｉ）前記第１および第２ファスナーテープの各々の前記第２エッジが重複し、
ｉｉ）前記第１ファスナーテープの前記第２エッジがファスニング務歯の前記噛合領域を完全に覆い、
ｉｉｉ）前記第１ファスナーテープの前記第２エッジの、前記第２ファスナーテープの前記第２エッジによる重複部分が、前記ファスニング務歯の前記噛合領域の上方で前記ファスニング務歯の前記噛合領域を越えて延在し、
前記第２ファスナーテープの第２エッジが、前記第１ファスナーテープの第２エッジより長く、前記第２ファスナーテープの第２エッジが、追加的な閉鎖デバイスによって第１ファスナーテープに固定される、
ファスナーアセンブリ。
【請求項２】
防護衣料用布帛と、防護衣料用布帛の第１領域および防護衣料用布帛の第２領域をつなぐためのファスナーアセンブリとを含む衣服であって、
ａ）前記ファスナーアセンブリが第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、前記第１および第２ファスナーテープの各々の前記第２エッジが重複し、前記第１ファスナーテープの前記第２エッジがファスニング務歯の前記噛合領域を完全に覆い、前記第１ファスナーテープの前記第２エッジの、前記第２ファスナーテープの前記第２エッジによる重複部分が前記ファスニング務歯の前記噛合領域の上方で前記ファスニング務歯の前記噛合領域を越えて延在し、
前記第２ファスナーテープの第２エッジが、前記第１ファスナーテープの第２エッジより長く、前記第２ファスナーテープの第２エッジが、追加的な閉鎖デバイスによって前記防護衣料用布帛または第１ファスナーテープに固定され、
ｂ）前記衣服が、前記ファスナーアセンブリを防護衣料用布帛の前記第１領域へ前記第１ファスナーテープの前記第１および第２エッジを通って取り付ける第１縫い目と、前記ファスナーアセンブリを防護衣料用布帛の前記第２領域へ前記第２ファスナーテープの前記第１および第２エッジを通って取り付ける第２縫い目とを有し、
但し前記第１縫い目は前記第２ファスナーテープを通って縫わず、前記第２縫い目は前記第１ファスナーテープを通って縫わない、衣服。
【請求項３】
防護衣料用布帛と、防護衣料用布帛の第１領域および防護衣料用布帛の第２領域をつなぐためのファスナーアセンブリとを含む衣服であって、
ａ）前記ファスナーアセンブリが第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、前記第１および第２ファスナーテープの各々の前記第２エッジが重複し、前記第１ファスナーテープの前記第２エッジがファスニング務歯の前記噛合領域を完全に覆い、前記第１ファスナーテープの前記第２エッジの、前記第２ファスナーテープの前記第２エッジによる重複部分が前記ファスニング務歯の噛合領域の上方で重複し前記ファスニング務歯の噛合領域を越えて延在し、前記第２ファスナーテープの第２エッジが、前記第１ファスナーテープの第２エッジより長く、前記第２ファスナーテープの第２エッジが、追加的な閉鎖デバイスによって前記防護衣料用布帛または第１ファスナーテープに固定され、
ｂ）前記衣服が、前記ファスナーアセンブリを防護衣料用布帛の前記第１領域へ前記第１ファスナーテープの前記第１エッジを通って取り付ける第１縫い目と、前記ファスナーアセンブリを防護衣料用布帛の前記第２領域へ前記第２ファスナーテープの前記第１エッジを通って取り付ける第２縫い目とを有し、
但し前記第１縫い目は前記第２ファスナーテープを通って縫わず、前記第２縫い目は前記第１ファスナーテープを通って縫わない、衣服。
【発明の詳細な説明】
【技術分野】
【０００１】
本発明は、防護衣料との使用に適切な改良されたファスナーアセンブリおよび当該ファスナーアセンブリを含む衣服に関する。
【背景技術】
【０００２】
作業員により着用される特定の個人用防護衣料の機能の１つは、環境汚染物が皮膚に接触するのを防止または減らすことである。このような衣料は、カプセル形の耐液体性および／もしくは耐薬品性のスーツもしくは衣服、または乾燥粒子が皮膚に接触するのを防止するよう設計されたスーツもしくは衣服、または危険を引き起こす様々なものが皮膚に接触するのを防止するよう設計されたスーツもしくは衣服を含み得る。このような衣料は、カバーオール、シャツ、コート、ズボン、ビブカバーオールまたはこれらの品目の組合せのようなものを含み得る。衣料は、幅広い種類の特許で保護された防護衣服用布帛、遮蔽性布帛、積層体、およびフィルムで作製され得る。衣料はまた、不織布および／または織布ならびにそのような材料とフィルムとの積層体を含み得る。幾つかの実施形態において、衣料用材料は、多層フィルム不織布積層体である。幾つかの実施形態において、衣料用材料は、液体および／または粒子による浸透に耐える不織布である。
【発明の概要】
【発明が解決しようとする課題】
【０００３】
明らかに、衣料への液体および／または粒子の侵入を防ぐ際に、衣料における開口部が潜在的な弱点となるが、その理由は、開口部は衣料が身に着けられるために存在しなければならず、かつ身に着けた後、開口部は次いで十分に封止されなければならないからである。そのような衣料の封止におけるいかなる改善も望ましい。
【課題を解決するための手段】
【０００４】
本発明は、衣服と共に使用するためのファスナーアセンブリであって、第１ファスナーテープと第２ファスナーテープとを有するファスナーを含み、各ファスナーテープが内側面および外側面、ならびに第１エッジおよび第２エッジを有し、第１エッジ上に協働ファスナー務歯の列が取り付けられ、
第１および第２ファスナーテープの各々の第２エッジがその協働ファスナー務歯の列に平行に折り曲げられ、その結果、ファスナーが閉じられかつ第１および第２ファスナーテープからのファスナー務歯の噛合領域が形成されるとき、
ｉ）第１および第２ファスナーテープの各々の第２エッジが重複し、
ｉｉ）第１ファスナーテープの第２エッジがファスニング務歯の噛合領域を完全に覆い、
ｉｉｉ）第１ファスナーテープの第２エッジの、第２ファスナーテープの第２エッジによる重複部分がファスニング務歯の噛合領域を越えて延在する、
ファスナーアセンブリに関する。
【０００５】
本発明はまた、防護衣料用布帛と、防護衣料用布帛の第１および第２領域をつなぐためのファスナーアセンブリとを含む衣服であって、
ａ）ファスナーアセンブリが第１ファスナーテープと第２ファスナーテープとを有するファスナーを含み、各ファスナーテープが内側面および外側面、ならびに第１エッジおよび第２エッジを有し、第１エッジ上に協働ファスナー務歯の列が取り付けられ、
第１および第２ファスナーテープの各々の第２エッジがその協働ファスナー務歯の列に平行に折り曲げられ、その結果、ファスナーが閉じられかつ第１および第２ファスナーテープからのファスナー務歯の噛合領域が形成されるとき、第１および第２ファスナーテープの各々の第２エッジが重複し、第１ファスナーテープの第２エッジがファスニング務歯の噛合領域を完全に覆い、第１ファスナーテープの第２エッジの、第２ファスナーテープの第２エッジによる重複部分がファスニング務歯の噛合領域を越えて延在し、
ｂ）衣服が、ファスナーアセンブリを防護衣料用布帛の第１領域へ第１ファスナーテープの第１および第２エッジを通って取り付ける第１縫い目と、ファスナーアセンブリを防護衣料用布帛の第２領域へ第２ファスナーテープの第１および第２エッジを通って取り付ける第２縫い目とを有し、
但し第１縫い目は第２ファスナーテープを通って縫わず、第２縫い目は第１ファスナーテープを通って縫わない、衣服に関する。
【０００６】
本発明はさらに、防護衣料用布帛と、防護衣料用布帛の第１および第２領域をつなぐためのファスナーアセンブリとを含む衣服であって、
ａ）ファスナーアセンブリが第１ファスナーテープと第２ファスナーテープとを有するファスナーを含み、各ファスナーテープが内側面および外側面、ならびに第１エッジおよび第２エッジを有し、第１エッジ上に協働ファスナー務歯の列が取り付けられ、
第１および第２ファスナーテープの各々の第２エッジがその協働ファスナー務歯の列に平行に折り曲げられ、その結果、ファスナーが閉じられかつ第１および第２ファスナーテープからのファスナー務歯の噛合領域が形成されるとき、第１および第２ファスナーテープの各々の第２エッジが重複し、第１ファスナーテープの第２エッジがファスニング務歯の噛合領域を完全に覆い、第１ファスナーテープの第２エッジの、第２ファスナーテープの第２エッジによる重複部分がファスニング務歯の噛合領域を越えて延在し、
ｂ）衣服が、ファスナーアセンブリを防護衣料用布帛の第１領域へ第１ファスナーテープの第１エッジを通って取り付ける第１縫い目と、ファスナーアセンブリを防護衣料用布帛の第２領域へ第２ファスナーテープの第１エッジを通って取り付ける第２縫い目とを有し、
但し第１縫い目は第２ファスナーテープを通って縫わず、第２縫い目は第１ファスナーテープを通って縫わない、衣服に関する。
【図面の簡単な説明】
【０００７】
【図１Ａ】分かりやすくするために、折り曲げられていない、および次いで部分的に折り曲げられている状態で示される、衣服と共に使用するためのファスナーアセンブリの図示である。
【図１Ｂ】分かりやすくするために部分的に折り曲げられた状態にあり、衣料用布帛の第１および第２領域へ取り付けられたファスナーアセンブリの図示である。
【図２Ａ】分かりやすくするために部分的に折り曲げられた状態にあり、衣料用布帛の第１および第２領域へ取り付けられ、任意選択の封止テープを備えるファスナーアセンブリの図示である。
【図２Ｂ】分かりやすくするために折り曲げられていない、および部分的に折り曲げられた状態で示され、次いで衣料用布帛の第１および第２領域へ取り付けられ、任意選択の封止テープを備える、衣服と共に使用するためのファスナーアセンブリの代替的図示である。
【図３Ａ】協働ファスナー務歯の列に平行である閉鎖用テープの折り目の方向の図示であり、この図において、ファスナー務歯はスライドファスナー務歯の１タイプ、特にジッパー上の歯である。
【図３Ｂ】協働ファスナー務歯の列に平行である閉鎖用テープの折り目の方向の図示であり、この図において、ファスナー務歯はベルベット式フックアンドループファスナーの１タイプである。
【図４】ファスナーアセンブリの、衣料用布帛の第１および第２領域への別の取付けの図示であり、任意選択の封止テープを備え、分かりやすくするために部分的に折り曲げられた状態で示されている。
【発明を実施するための形態】
【０００８】
ファスナーアセンブリ
図１Ａに示されるとおり、衣服と共に使用するためのファスナーアセンブリは、ファスナーであって第１ファスナーテープ２と第２ファスナーテープ３とを有し、各ファスナーテープが内側面と外側面とを有するファスナーを含む。さらに、ファスナーテープ２は第１エッジ２０と第２エッジ２２とを有し、第１エッジ上に協働ファスナー務歯１ａの列が取り付けられており、ファスナーテープ３が第１エッジ２１と第２エッジ２３とを有し、第１エッジ上に協働ファスナー務歯１ｂの列が取り付けられている。
【０００９】
さらに、第１エッジ２０の長さは第２エッジ２２の長さより短く、第１エッジ２１の長さは第２エッジ２３の長さより短い。幾つかの実施形態において、ファスナーテープはファスナーアセンブリによりつながれる防護衣料用布帛の遮蔽特性以上の遮蔽特性を有する。
【００１０】
第１ファスナーテープ２は、第１ファスナーテープ上の協働ファスナー務歯１ａの列に平行に折り曲げられ、第２ファスナーテープ３は、第２ファスナーテープ上の協働ファスナー務歯１ｂの列に平行に折り曲げられる。図３Ａは、ファスナーテープ３の向きの図示であり、折り目３０は点線により表されており、折り目は協働ファスナー務歯１ｂの列に平行であり、この図において、ファスナー務歯の列はスライドファスナー務歯の１タイプ、特にジッパー上の歯である。図３Ｂは、協働ファスナー務歯３１の列に平行なファスナーテープ折り目３２の向きの同様の図示である。この図において、ファスナー務歯３１の列は、ベルクロ（Ｖｅｌｃｒｏ）（登録商標）ファスナーとしてより一般的に知られる、ｄｅ  Ｍｅｓｔｒａｌへの米国特許第２，７１７，４３７号明細書に開示されるものなどの、ベルベット式フックアンドループファスナーのタイプの片側のストリップである。ファスナーテープ２は図３Ａおよび３Ｂに示されるものに対する、鏡像の協働折り目、オプション、および適合または嵌合ファスナー務歯を有する。これらのタイプのファスナーテープおよびファスナー務歯が有用である一方で、これらは限定することを意図されるものではない。これらに加えて、Ｇｏｏｐｅｒ  Ｈｅｒｍｅｔｉｃにより販売されるものなどの磁気封止ストリップなどのものを含む、様々なファスナーテープおよびファスナー務歯が使用され得ると考えられる。
【００１１】
第１および第２ファスナーテープの各々の全長、ならびにファスナーテープの第１および第２エッジの相対的長さは、ファスナーが閉じられるとき、第１および第２ファスナーテープの各々の第２エッジが重複し、かつ両者が閉じられたファスナーを覆うように選択される。特に、ファスナーが閉じられるとき、第１および第２ファスナーテープからの協働ファスナー務歯１ａおよび１ｂは互いに噛み合い、各ファスナーテープの第２エッジは、噛合領域にわたって延在してその領域を完全に覆うように選択される。図１Ａに示されるとおり、分かりやすくするために部分的に折り曲げられた状態において、第１ファスナーテープ２の長さは、折り曲げられた第２エッジ２２が第１エッジ２０の外側面を覆い、かつその直接下にある噛合領域を完全に覆うように延在するかそうするのに十分に長いように、選択される。第１ファスナーテープ２に重なる第２ファスナーテープ３の長さもまた、その折り曲げられた第２エッジ２３が第１エッジ２１の外側面の一部を覆い、かつ、第１ファスナーテープの下に位置するファスニング務歯の噛合領域を越えて延在するのに十分長くなるように独立して選択される。換言すると、噛み合ったファスニング務歯の領域は、その噛合領域の上方で重ねられるファスナーテープの２つの層により完全に覆われ、層のそれぞれは噛合領域を独立して完全に覆うのに十分幅広い。これは、噛合領域がいずれの液体および／または粒子状物質からも完全に封止されることを確実にするのに役立つ。
【００１２】
いくつかの好ましい実施形態において、第１ファスナーテープ２の長さは、ファスナーが閉じられるとき、第２エッジ２２が噛合領域とファスナーテープ３の折り目との間、好ましくは、噛合領域とファスナーテープ３の折り目との間の３分の１〜３分の２の距離へ延在するように選択される。幾つかの実施形態において、第２ファスナーテープ３の長さは、ファスナーが閉じられるとき、第２エッジ２３が噛合領域を越えて、噛合領域とファスナーテープ２の折り目との間の少なくとも３分の１〜３分の２の距離へ延在するよう選択される。幾つかの実施形態において、第２エッジ２３の長さは第２エッジ２２の長さより長い。さらに、必要に応じて、容易かつ迅速に開くことおよび閉じることができる追加的な閉鎖用デバイス、例えば、（ベルクロ（Ｖｅｌｃｒｏ）（登録商標）タイプのような）ベルベット式フックアンドループファスナーの追加的なストリップ、他のフック／ループデバイス、両面接着テープ、（ジップロックシステムなどの）連動式スプライングルーブシステム、磁気封止ストリップなどが、ファスナーテープ３の第２エッジ２３を防護衣料用布帛またはファスナーテープ２へ固定するために使用され得る。同様に、必要に応じて、そのような追加的な閉鎖用デバイスが第２エッジ２２をファスナーテープ３の第１エッジ２１へ固定するために使用され得る。
【００１３】
複数のタイプのファスナーおよび協働ファスナー務歯が想定されるが、好ましい実施形態において、ファスナーはスライドファスナーであり、第１および第２ファスナーテープはストリンガテープであり、ファスナー務歯はストリンガテープ上に取り付けられた協働スライドファスナー務歯であり、スライドファスナーは、スライドファスナーを開くおよび閉じるためにストリンガテープ上のファスナー務歯と協働するスライダをさらに含む。いくつかのスライドファスナーは「ジッパー」として一般知られている。
【００１４】
衣服
衣服は好ましくは、防護衣料用布帛および前述のとおりのファスナーアセンブリを含む。用語「防護衣料用布帛」は、幅広い種類の防護衣服用布帛、遮蔽性布帛、積層体、およびフィルムを含むことを意味する。用語「防護衣料用布帛」はまた、不織布および／または織布ならびにそのような材料のフィルムまたは多層フィルムとの積層体を含む。いくつかの好ましい実施形態において、防護衣料用布帛、およびしたがって衣料用材料は、多層フィルム不織布積層体である。幾つかの実施形態において、衣料用材料は、液体および／または粒子による浸透に耐える不織布、例えば、タイベック（Ｔｙｖｅｋ）（登録商標）スパンボンドポリエチレンのような不織布である。他の有用な防護衣料用布帛は、幅広い種類の脅威から保護し、かつ、米国特許第５，６２６，９４７号明細書（Ｈａｕｅｒ  ｅｔ  ａｌ．）、同第４，８５５，１７８号明細書（Ｌａｎｇｌｅｙ）、同第４，２７２，８５１号明細書（Ｇｏｌｄｓｔｅｉｎ）、同第４，７７２，５１０号明細書（ＭｃＣｌｕｒｅ）、同第５，０３５，９４１号明細書（Ｂｌａｃｋｂｕｒｎ）、同第４，２１４，３２１号明細書（Ｎｕｗａｙｓｅｒ）、同第４，９２０，５７５号明細書（Ｂａｒｔａｓｉｓ）、同第５，１６２，１４８号明細書（Ｂｏｙｅ）、同第４，８３３，０１０号明細書（Ｌａｎｇｌｅｙ）に開示されているものを含むがこれらに限られない。
【００１５】
図１Ｂに示されるとおり、ファスナーアセンブリは防護衣料用布帛の第１および第２領域６をつなぐ。衣服は、ファスナーアセンブリを防護衣料用布帛の第１および第２領域６へ取り付ける縫い目４を有する。一実施形態において、縫い目４の第１セットは、第１ファスナーテープ２の第１および第２エッジならびに防護衣料用布帛の第１領域を通って縫われ、縫い目の第２セットは第２ファスナーテープ３の第１および第２エッジならびに防護衣料用布帛の第２領域を通って縫われる。しかしながら、ファスナーが開かれかつ閉じられ得るように、第１ファスナーテープ２を通る第１縫い目は第２ファスナーテープ３を通って縫わず、第２ファスナーテープ３を通る第２縫い目は第１ファスナーテープ２を通って縫わない。
【００１６】
さらに、図２Ａに示されるとおり、幾つかの実施形態において、ファスナーアセンブリが防護布帛の領域に縫い付けられた後、第１ファスナーテープ２はさらに、第１縫い目を覆う外側封止テープ５で防護衣料の第１領域へ取り付けられる。同様にまた、第２ファスナーテープ３が、第２縫い目を覆う外側封止テープ５で、防護衣料の第２領域へ取り付けられる。外側封止テープ５は閉鎖用テープ材料と防護布帛の両方に適合しなければならず、外側封止テープ５はまた、防護衣料用布帛領域と閉鎖用テープの折り目との間のつなぎ目を覆う働きをする。有用な封止テープは、防護衣料用布帛の遮蔽性かつ耐久性材料からできているテープを含む。幾つかの実施形態において、外側封止テープ５は衣服で使用される防護衣料用布帛からできている。代表的な商業的に利用可能な外側封止テープは、Ａｄｈｅｓｉｖｅ  Ｆｉｌｍ，Ｉｎｃ．、Ｂｅｍｉｓ  Ａｓｓｏｃｉａｔｅｓ，Ｉｎｃ．、Ｗｏｒｔｈｅｎ  Ｉｎｄｕｓｔｒｉｅｓなどの製造業者から入手可能であり、接着テープは、ポリウレタン、ポリエチレン、アクリル、熱可塑性ゴム、および／またはホットメルトシステムなどを含む。
【００１７】
図２Ｂは、ファスナーアセンブリおよびその防護衣料用布帛への取付けにおいて使用され得る特徴部を図示する。この実施形態において、第１ファスナーテープ２の第２エッジ２２は、追加的な、逆の折り目を形成する内部フラップ４１を有する。内部フラップ４１の長さは第１または第２エッジのいずれよりも短い。折り目３０への鏡像（図３Ａに示されるとおり）と同様に、内部フラップ４１を作り出す第１ファスナーテープ２の折り目は、折り目および協働ファスナー務歯１ａの列の両方に平行であるが、反対側方向である。図２Ｂにおいて、分かりやすくするために部分的に折り曲げられた状態において示されるとおり、ファスナーが防護衣料用布帛の第１および第２領域６に、縫い目および任意選択の外側封止テープ５を介して取り付けられ、次いで閉じられるとき、内部フラップ４１の逆の折り目が、第２ファスナーテープ３の下に第１エッジ２１と第２エッジ２３との間の折り目の中に嵌り込み、かつ第２ファスナーの縫われた領域へさらなる被覆領域を提供する。内部フラップ４１は、不注意によりエッジ２３の下に入り得るいずれの材料または液体も、第２ファスナーテープ３の縫われた領域に到達するのを防ぐのに役立ち得ると考えられる。
【００１８】
図４は、ファスナーアセンブリの別の実施形態および、脅威が主に粒子の侵入である衣服における使用を見出す衣料用布帛の第１および第２領域へのファスナーアセンブリの取付けを図示する。ファスナーアセンブリは防護衣料用布帛の第１および第２領域６をつなぐ。衣服は、ファスナーアセンブリを防護衣料用布帛の第１および第２領域６へ取り付ける縫い目４４を有する。この実施形態において、縫い目４４の第１セットは、ファスナーテープ２の第１エッジ２０および防護衣料用布帛の第１領域６を通って縫われ、縫い目４４の第２セットは、第２ファスナーテープ３の第１エッジ２１および防護衣料用布帛の第２領域６を通って縫われる。しかしながら、ファスナーが開かれかつ閉じられ得るように、第１ファスナーテープ２を通る第１縫い目は第２ファスナーテープ３を通って縫わず、第２ファスナーテープ３を通る第２縫い目は第１ファスナーテープ２を通って縫わない。さらに、この実施形態において、縫い目は、ファスナーテープの第１エッジのみを通過し、縫い目は第２エッジ（２２、２３）を通過しない。先のとおり、必要に応じて、容易かつ迅速に開くことおよび閉じることができる追加的な閉鎖用デバイス、例えば、（ベルクロ（Ｖｅｌｃｒｏ）（登録商標）タイプのような）ベルベット式フックアンドループファスナーの追加的なストリップ、他のフック／ループデバイス、両面接着テープ、（ジップロックシステムなどの）連動式スプライングルーブシステム、磁気封止ストリップなどが、ファスナーテープ３の第２エッジ２３を防護衣料用布帛またはファスナーテープ２へ固定するために使用され得る。同様に、このような追加的な閉鎖用デバイスは、ファスナーテープ２の第２エッジ２２をファスナーテープ３の第１エッジ２１へ固定するために使用され得る。
【００１９】
幾つかの実施形態において、衣服におけるファスナーアセンブリのファスナーはスライドファスナーであり、第１および第２ファスナーテープはストリンガテープであり、ファスナー務歯はストリンガテープ上に取り付けられた協働スライドファスナー務歯である。スライドファスナーは、スライドファスナーを開くおよび閉じるためにストリンガテープ上のファスナー務歯と協働するスライダをさらに含む。幾つかの実施形態において、衣服におけるファスナーアセンブリのファスナーは、フックアンドループファスナー務歯を有するベルベット式フックアンドループファスナーである。好適なスライドファスナーは、例えば、ウレタン被覆耐水性ジッパー、例えば、ＹＫＫ（登録商標）アクアガード（Ａｑｕａｇｕａｒｄ）（登録商標）ウレテック被覆ジッパー、またはウレタン、ポリエチレン、もしくは他の耐水性被覆剤で被覆された他の耐水性ジッパーを含む。好ましくは、スライドファスナーは、閉じている衣服の開口部に等しい全長を有する。幾つかの実施形態において、スライドファスナーは３０〜４８インチの全長を有する。
【００２０】
衣服においてはこのタイプのファスナーテープおよびファスナー務歯が有用であるが、限定することを意図されるものではない。ファスナーアセンブリについての前述の特徴部の全ては、衣服において使用され得る。例えば、ベルクロ（Ｖｅｌｃｒｏ）（登録商標）ファスナーとしてより一般的に知られる、ｄｅ  Ｍｅｓｔｒａｌへの米国特許第２，７１７，４３７号明細書において開示されるものなどのベルベット式フックアンドループファスナーを含む、様々なファスナーテープおよびファスナー務歯が使用され得ると考えられる。例えばＧｏｏｐｅｒ  Ｈｅｒｍｅｔｉｃにより販売される磁気封止ストリップのようなもの。
【００２１】
幾つかの実施形態において、防護衣料用布帛およびファスナーアセンブリを含む衣服は、レベルＢ、ＣまたはＤの防護衣服である。レベルＢの衣服は、最高レベルの呼吸器保護を求めるが、より低いレベルの皮膚保護が必要とされる状況において使用される。レベルＣの衣服は、大気汚染物質、液体のはね、および他の直接接触が、悪影響を及ぼさないかまたは任意の露出された皮膚により吸収される状況において使用される。レベルＤの衣服は、汚染が不快なだけである状況において使用される。Ｂ、Ｃ、またはＤレベルと格付けされた防護衣料の組合せが共に使用されてもよい場合もあり得る。
【００２２】
試験方法
このファスナーを組み込む衣服は、（１）ＥＮ４６８に従う噴霧による浸透への耐性、（２）ＥＮ４６３に従う液体の噴射による浸透への耐性、（３）ＩＳＯ１７４９１方法により試験される、ＩＳＯ１６６０２タイプ６に従う霧状液体に対する限られた保護、（４）ＩＳＯ１７４９１方法により試験される、ＩＳＯ１６６０２タイプ４に従う噴霧による浸透への耐性、（５）ＩＳＯ１７４９１方法により試験される、ＩＳＯ１６６０２タイプ３に従う液体の噴射による浸透への耐性、および（６）ＩＳＯ１７４９１方法により試験される、ＩＳＯ１６６０２タイプ５に従う保護浮遊有害粒子への耐性により試験され得る。
【実施例】
【００２３】
実施例１
ファスナーアセンブリは、スライドファスナー務歯を、タイベック（Ｔｙｖｅｋ）（登録商標）スパンボンドポリオレフィンのストリンガテープである第１および第２ファスナーテープ上へ、ファスナー務歯を閉じるためのスライドファスナーと共に、取り付けることにより作成される。ファスナーは、図１Ａに概して示されるとおり折り曲げられる。第１ファスナーテープ（２）の幅は、折り曲げられたとき、第１ファスナーテープ（２）がおよそ７／８インチ幅の第１エッジ（２０）とおよそ１インチ幅の第２エッジ（２２）とを有するように選択される。第２ファスナーテープ（３）の幅は、折り曲げられたとき、第２ファスナーテープ（３）がおよそ７／８インチ幅の第１エッジ（２１）とおよそ１．５インチ幅の第２エッジ（２３）とを有するように選択される。スライドファスナーの全長はおよそ３６インチ長である。
【００２４】
ファスナーが閉じられるとき、すなわち、ファスニング務歯が噛み合わされるとき、第１ファスナーテープ２の第２エッジ２２が噛合領域を越えて延在し、第２ファスナーテープ３の第２エッジ２３が噛合領域を越えて噛合領域とファスナーテープ２の折り目との間へ延在する。
【００２５】
実施例２
液体の進入を制限し阻むカバーオールデザインの形の衣服は、実施例１のファスナーアセンブリをカバーオールの入口開口部に組み込むことにより作られる。ファスナーアセンブリは、タイベック（Ｔｙｖｅｋ）（登録商標）スパンボンドポリオレフィン防護衣料用布帛の第１および第２領域へ取り付けられて、その布帛をカバーオールの入口地点でつなぐ。ファスナーアセンブリは、図１Ｂに示されるとおり、タイベック（Ｔｙｖｅｋ）（登録商標）防護衣料用布帛の第１および第２領域へ縫い付けられる。特に、第１縫い目４は、第１ファスナーテープ２の第１および第２エッジならびに防護衣料用布帛の第１領域を通って縫われ、第２縫い目４は、第２ファスナーテープ３の第１および第２エッジならびに防護衣料用布帛の第２領域通って縫われる。しかしながら、ファスナーが開かれかつ閉じられ得るように、第１ファスナーテープ２を通る第１縫い目は第２ファスナーテープ３を通って縫わず、第２ファスナーテープ３を通る第２縫い目は第１ファスナーテープ２を通って縫わない。図２Ａに示されるとおり、（接着または結合により）衣服材料と適合し、ジッパー材料と適合する縫い目封止テープが取り付けられてファスナーアセンブリと防護衣料用布帛との間の縫い目とつなぎ目を覆う。
【００２６】
衣服は、ＥＮ４６８およびＥＮ４６３に加えて、ＩＳＯ１６６０２タイプ３、４、および６についてＩＳＯ１７４９１によって試験され、ファスナーアセンブリを通じた液体の進入を示さない。
【００２７】
実施例３
粒子の進入を制限し阻むカバーオールデザインの形の衣服は、実施例１のファスナーアセンブリを衣服の入口開口部に組み込むことにより作られる。ファスナーアセンブリは、タイベック（Ｔｙｖｅｋ）（登録商標）スパンボンドポリオレフィン防護衣料用布帛の第１および第２領域へ取り付けられて、その布帛をカバーオールの入口地点でつなぐ。ファスナーアセンブリは、図４に示されるとおり、タイベック（Ｔｙｖｅｋ）（登録商標）防護衣料用布帛の第１および第２領域へ縫い付けられる。特に、第１縫い目４４は、第１ファスナーテープ２の第１エッジおよび防護衣料布帛の第１領域のみを通って縫われ、第２縫い目４４は、第２ファスナーテープ３の第１エッジおよび防護衣料布帛の第２領域のみを通って縫われる。縫い目は、いずれのファスナーテープのいずれの第２エッジも通らない。さらに、ファスナーが開かれかつ閉じられ得るように、第１ファスナーテープ２を通る第１縫い目は第２ファスナーテープ３を通って縫わず、第２ファスナーテープ３を通る第２縫い目は第１ファスナーテープ２を通って縫わない。図４に示されるとおり、目的は、粒子の進入を排除することであるため、封止テープは必要とされない。しかしながら、必要に応じて、封止テープを取り付けて、必要に応じてファスナーアセンブリと防護衣料用布帛との間のつなぎ目を覆うことができる。
【００２８】
衣服は、ＩＳＯ１６６０２タイプ５についてＩＳＯ１７４９１によって試験され、ファスナーアセンブリを通じた粒子の進入を示さない。
【００２９】
実施例４
実施例１〜３が繰り返されるが、ファスナーアセンブリは、図２Ｂに示されるとおり、前述の内部フラップ特徴部４１を有して構成される。実施例２および３におけるとおり、衣服はファスナーアセンブリを通じた液体／粒子の進入を示さない。
次に、本発明の態様を示す。
１.  衣服と共に使用するためのファスナーアセンブリであって、第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、
ｉ）前記第１および第２ファスナーテープの各々の前記第２エッジが重複し、
ｉｉ）前記第１ファスナーテープの前記第２エッジがファスニング務歯の前記噛合領域を完全に覆い、
ｉｉｉ）前記第１ファスナーテープの前記第２エッジの、前記第２ファスナーテープの前記第２エッジによる重複部分がファスニング務歯の前記噛合領域を越えて延在する、ファスナーアセンブリ。
２.  前記第１ファスナーテープの前記第２エッジ上に内部フラップを形成する逆の折り目をさらに含み、その結果、前記ファスナーが閉じられるとき、前記内部フラップの前記折り目が前記第２ファスナーテープの下にその第１エッジとその第２エッジとの間に嵌り込む、上記１に記載のファスナーアセンブリ。
３.  前記ファスナーはスライドファスナーであり、前記第１および第２ファスナーテープはストリンガテープであり、前記ファスナー務歯は前記ストリンガテープ上に取り付けられた協働スライドファスナー務歯であり、前記スライドファスナーは、前記スライドファスナーを開くおよび閉じるために前記ストリンガテープ上の前記ファスナー務歯と協働するスライダをさらに含む、上記１または２に記載のファスナーアセンブリ。
４.  前記ファスナーがフックアンドループファスナー務歯を有するフックアンドループファスナーである、上記１または２に記載のファスナーアセンブリ。
５.  防護衣料用布帛と、防護衣料用布帛の第１および第２領域をつなぐためのファスナーアセンブリとを含む衣服であって、
ａ）前記ファスナーアセンブリが第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、前記第１および第２ファスナーテープの各々の前記第２エッジが重複し、前記第１ファスナーテープの前記第２エッジがファスニング務歯の前記噛合領域を完全に覆い、前記第１ファスナーテープの前記第２エッジの、前記第２ファスナーテープの前記第２エッジによる重複部分がファスニング務歯の前記噛合領域を越えて延在し、
ｂ）前記衣服が、前記ファスナーアセンブリを防護衣料用布帛の前記第１領域へ前記第１ファスナーテープの前記第１および第２エッジを通って取り付ける第１縫い目と、前記ファスナーアセンブリを防護衣料用布帛の前記第２領域へ前記第２ファスナーテープの前記第１および第２エッジを通って取り付ける第２縫い目とを有し、
但し前記第１縫い目は前記第２ファスナーテープを通って縫わず、前記第２縫い目は前記第１ファスナーテープを通って縫わない、衣服。
６.  前記第１ファスナーテープが防護衣料の第１領域へ、前記第１縫い目を覆う封止テープでさらに取り付けられ、前記第２ファスナーテープが防護衣料の第２領域へ、前記第２縫い目を覆う封止テープでさらに取り付けられる、上記５に記載の衣服。
７.  前記ファスナーアセンブリが前記第１ファスナーテープの前記第２エッジ上に内部フラップを形成する逆の折り目をさらに含み、その結果、前記ファスナーが閉じられるとき、前記内部フラップの前記折り目が前記第２ファスナーテープの下にその第１エッジとその第２エッジとの間に嵌り込む、上記５に記載の衣服。
８.  前記ファスナーはスライドファスナーであり、前記第１および第２ファスナーテープはストリンガテープであり、前記ファスナー務歯は前記ストリンガテープ上に取り付けられた協働スライドファスナー務歯であり、前記スライドファスナーは、前記スライドファスナーを開くおよび閉じるために前記ストリンガテープ上の前記ファスナー務歯と協働するスライダをさらに含む、上記５〜７のいずれか一項に記載の衣服。
９.  前記ファスナーがフックアンドループファスナー務歯を有するフックアンドループファスナーである、上記５〜７のいずれか一項に記載の衣服。
１０.  防護衣料用布帛と、防護衣料用布帛の第１および第２領域をつなぐためのファスナーアセンブリとを含む衣服であって、
ａ）前記ファスナーアセンブリが第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、前記第１および第２ファスナーテープの各々の前記第２エッジが重複し、前記第１ファスナーテープの前記第２エッジがファスニング務歯の前記噛合領域を完全に覆い、前記第１ファスナーテープの前記第２エッジの、前記第２ファスナーテープの前記第２エッジによる重複部分がファスニング務歯の前記噛合領域を越えて延在し、
ｂ）前記衣服が、前記ファスナーアセンブリを防護衣料用布帛の前記第１領域へ前記第１ファスナーテープの前記第１エッジを通って取り付ける第１縫い目と、前記ファスナーアセンブリを防護衣料用布帛の前記第２領域へ前記第２ファスナーテープの前記第１エッジを通って取り付ける第２縫い目とを有し、
但し前記第１縫い目は前記第２ファスナーテープを通って縫わず、前記第２縫い目は前記第１ファスナーテープを通って縫わない、衣服。
１１.  前記ファスナーアセンブリが前記第１ファスナーテープの前記第２エッジ上に内部フラップを形成する逆の折り目をさらに含み、その結果、前記ファスナーが閉じられるとき、前記内部フラップの前記折り目が前記第２ファスナーテープの下にその第１エッジとその第２エッジとの間に嵌り込む、上記１０に記載の衣服。
１２.  前記ファスナーはスライドファスナーであり、前記第１および第２ファスナーテープはストリンガテープであり、前記ファスナー務歯は前記ストリンガテープ上に取り付けられた協働スライドファスナー務歯であり、前記スライドファスナーは、前記スライドファスナーを開くおよび閉じるために前記ストリンガテープ上の前記ファスナー務歯と協働するスライダをさらに含む、上記１０または１１に記載の衣服。
１３.  前記ファスナーがフックアンドループファスナー務歯を有するフックアンドループファスナーである、上記１０または１１に記載の衣服。
【図１Ａ】
0006550043.tif 000002
【図１Ｂ】
0006550043.tif 000003
【図２Ａ】
0006550043.tif 000004
【図２Ｂ】
0006550043.tif 000005
【図３Ａ】
0006550043.tif 000006
【図３Ｂ】
0006550043.tif 000007
【図４】
0006550043.tif 000008